(57)【要約】【課題】２つの付属物品を外側から見える状態で収納でき、また付属物品がそれに添付する注意書きや説明書に隠れない状態で収納できるようにしたプレミアム用収納容器を提供すること。【解決手段】透明プラスチックシートからなる一枚のブランクを組み立てて形成され、下部がキャップ状の取付部となり、上部には収納空間が形成される。２つの下部折返しパネル１６，１７はそれぞれ内側へ折り返されるようになっており、上部折返しパネル１８は内側に折り返され、その先端の隔壁パネル１９がＺ状に折り曲げられることで上部空間が２つの部屋に区画され、蓋パネル２０と差込みパネル２１とにより蓋がされる。２つの部屋に付属物品を別々に入れることにより、２つの付属物品を外側から見える状態で収納することができる。【選択図】図１
2008007168.tif 000002
【特許請求の範囲】
【請求項１】
透明プラスチックシートからなる一枚のブランクを組み立てて形成されるプレミアム用収納容器であって、全体形状は前面パネルと背面パネルとそれらの間にある一対の側面パネルからなる角筒状をしており、前面パネルと背面パネルの下辺にはそれぞれ下部折返しパネルが連設され、前面パネルの上辺には蓋パネルが連設され、その蓋パネルの先端に差込みパネルが連設され、背面パネルの上辺には上部折返しパネルが連設され、その上部折返しパネルの先端にＺ状に折れ曲がる隔壁パネルが連設されており、２つの下部折返しパネルはそれぞれ内側へ折り返されるようになっており、上部折返しパネルは内側に折り返され、その先端の隔壁パネルがＺ状に折り曲げられることで上部空間が２つの部屋に区画され、蓋パネルと差込みパネルとにより蓋がされるようになっていることを特徴とするプレミアム用収納容器。
【発明の詳細な説明】
【技術分野】
【０００１】
本発明は、タバコやチョコレートなどの箱状をした商品に景品等の付属物品を添付するために使用されるプレミアム用収納容器に関するものである。
【背景技術】
【０００２】
従来より、例えばタバコの販売促進を図るため、ライター等の付属物品を景品として添付することが行われている。この場合、タバコパッケージの中に付属物品を入れるのは難しいので、タバコパッケージと一体化しうる収納容器を準備し、その中に付属物品を入れた形態で販売することが望ましい。そこで、このようなプレミアム用収納容器として、ＰＥＴ等の透明プラスチックシートにより形成し、タバコパッケージに取り付けられる取付部と、付属物品を収納しうる収納部と、収納した付属物品を固定しうる固定部とを設けたタイプの容器が知られている。
【特許文献１】実用新案登録第３１１１５１４号公報
【発明の開示】
【発明が解決しようとする課題】
【０００３】
従来の技術で挙げた収納容器は、中に付属物品を入れた状態でボックスタイプのタバコパッケージの上部に取り付けられ、また透明であるために中の付属物品が見えるので、店頭等にて効率的に展示できるとともに販売しやすいという利点がある。ところが、収納部分が一つであるため、２種類の付属物品を入れると、その２つの物品が交錯して見苦しくなり、いずれかが見えなくなってしまうという問題がある。また、例えば注意書きや説明書を添付した付属物品を収納するような場合は、物品がその注意書きや説明書で隠れてしまうようなことが起こる。
【０００４】
本発明は、上記のような問題点に鑑みてなされたものであり、その目的とするところは、２つの付属物品を外側から見える状態で収納でき、また付属物品がそれに添付する注意書きや説明書に隠れない状態で収納できるようにしたプレミアム用収納容器を提供することにある。
【課題を解決するための手段】
【０００５】
上記の目的を達成するため、本発明のプレミアム用収納容器は、透明プラスチックシートからなる一枚のブランクを組み立てて形成されるプレミアム用収納容器であって、全体形状は前面パネルと背面パネルとそれらの間にある一対の側面パネルからなる角筒状をしており、前面パネルと背面パネルの下辺にはそれぞれ下部折返しパネルが連設され、前面パネルの上辺には蓋パネルが連設され、その蓋パネルの先端に差込みパネルが連設され、背面パネルの上辺には上部折返しパネルが連設され、その上部折返しパネルの先端にＺ状に折れ曲がる隔壁パネルが連設されており、２つの下部折返しパネルはそれぞれ内側へ折り返されるようになっており、上部折返しパネルは内側に折り返され、その先端の隔壁パネルがＺ状に折り曲げられることで上部空間が２つの部屋に区画され、蓋パネルと差込みパネルとにより蓋がされるようになっていることを特徴としている。
【発明の効果】
【０００６】
本発明のプレミアム用収納容器は、下部がキャップ状の取付部となり、上部に収納空間が形成されたものになるが、Ｚ状に折り曲げられた隔壁パネルによりその上部空間が２つの部屋に区画されるので、これらの２つの部屋に付属物品を別々に入れることにより、２つの付属物品を外側から見える状態で収納することができ、また、注意書きや説明書を添付した付属物品の場合には、その注意書きや説明書を付属物品と別の部屋に入れることにより、付属物品を隠れない状態で収納することができる。
【発明を実施するための最良の形態】
【０００７】
以下、図面を参照して本発明の実施の形態を説明する。
【０００８】
図１は本発明に係るプレミアム用収納容器の一例を示す斜視図、図２は図１のプレミアム用収納容器を形成するブランクの平面図、図３はそのブランクをサック貼りした状態で示す平面図、図４はサック貼りしたブランクを組み立てる様子を示す説明図、図５は図１のプレミアム用収納容器を使用状態で示す斜視図である。
【０００９】
図１のプレミアム用収納容器１０は、図２に示す一枚のブランクＢを組み立てて形成される。このブランクＢは、素材がＰＥＴからなる透明なプラスチックシートを打ち抜いたもので、図示のように、前面パネル１１の両側辺にそれぞれ折線ａ，ｂを介して側面パネル１２，１３が連設され、一方の側面パネル１２には折線ｃを介して背面パネル１４が連設され、他方の側面パネル１３には折線ｄを介して糊付け片１５が連設されている。
【００１０】
前面パネル１１と背面パネル１４の下辺には、それぞれ折線ｅ，ｆを介して下部折返しパネル１６，１７が連設されており、これらの下部折返しパネル１６，１７の幅は前面パネル１１と背面パネル１４の略半分になっている。
【００１１】
背面パネル１４の上辺には、折線ｇを介して上部折返しパネル１８が連設され、その上部折返しパネル１８の上辺には、Ｚ状に折れ曲がる隔壁パネル１９が折線ｈを介して連設されており、この隔壁パネル１９は、下辺パネル１９ａと斜辺パネル１９ｂと上辺パネル１９ｃの３つからなり、それらの境界にある折線ｉ，ｊのところでＺ状に折れ曲がるようになっている。上部折返しパネル１８の幅は背面パネル１４の略半分になっている。また、下辺パネル１９ａと上辺パネル１９ｃの幅は側面パネル１２，１３と略同じになっており、斜辺パネル１９ｂの幅は、上部折返しパネル１８と下辺パネル１９ａとを直角を挟む２辺とする直角三角形の斜辺の長さになっている。なお、上部折返しパネル１８と隔壁パネル１９の境界にある折線ｈは隔壁パネル１９の押込みを容易とするため、また斜辺パネル１９ａと上辺パネル１９ｃの境界にある折線ｊは鋭角での折曲げを容易とするため、それぞれ一部に切込を設けたリード罫にしている。
【００１２】
また、前面パネル１１の上辺には、折線ｋを介して蓋パネル２０が連設され、その蓋パネル２０の先端には、折線ｌを介して差込みパネル２１が連設されている。また、側面パネル１２，１３の上辺には、それぞれ折線ｍ，ｎを介して折曲げフラップ２２，２３が連設されている。
【００１３】
このブランクＢは、まず図３に示す如くサック貼りした状態とされる。すなわち、ブランクＢを折線ｃ，ｂのところで順次折り曲げ、背面パネル１４の側端に沿ったところに糊付け片１５を貼り合わせる。そして、このサック貼りされたブランクＢを組み立て、付属物品を入れた状態にする。
【００１４】
このサック貼りされた状態のブランクＢの組立手順は次のようである。まず、角筒状に起こした後、図４に示すように、２つの下部折返しパネル１６，１７をそれぞれ内側へ折り返してから、上部折返しパネル１８を内側に折り返し、その先端の隔壁パネル１９をＺ状に折り曲げるようにして中へと押し込むことで上部空間を２つの部屋に区画する。この時、各部屋に２つの付属物品を別々に入れるようにする。或いは、注意書きや説明書を付属物品とは別の部屋に入れる。次いで、隔壁パネル１９の上辺パネルｃを覆うように折曲げフラップ２２，２３を内側に折り曲げてから、それらの上から蓋パネル２０と差込みパネル２１とにより蓋をする。これにより、図１に示すように、前面パネル１１と背面パネル１４とそれらの間にある一対の側面パネル１２，１３からなる角筒状で、下部がキャップ状の取付部となり、上部が２つの部屋のある収納部となったプレミアム用収納容器１０が形成される。なお、図１では付属物品の図示を省略している。
【００１５】
付属物品を収納したプレミアム用収納容器１０は、図５に示すように、タバコパッケージＴの上部に取り付けられる。すなわち、プレミアム用収納容器１０の下部をタバコパッケージＴの上部に差し込み、そのまま隔壁パネル１９の底辺パネル１９ａに当接するところまで押し込むのである。この時、前面パネル１１と背面パネル１４の内側にはそれぞれ折返しパネル１６，１７があるので、プレミアム用収納容器１０をタバコパッケージＴの上部にしっかりと固定した状態で取り付けることができる。プレミアム用収納容器１０の中から付属物品を取り出す時は、通常の箱と同じようにして差込みパネル２１と蓋パネル２０を引っ張ることで蓋を開けてから、隔壁パネル１９の上辺パネル１９ｃを引っ張り出せばよい。
【００１６】
以上、本発明の実施の形態について詳細に説明してきたが、本発明によるプレミアム用収納容器は、上記実施の形態に何ら限定されるものではなく、本発明の趣旨を逸脱しない範囲において種々の変更が可能であることは当然のことである。
【００１７】
例えば、上記の例では、素材がＰＥＴからなるプラスチックシートの場合を例に挙げたが、塩化ビニル、ポリエチレン等、他の素材のプラスチックシートを使用することもできる。ただ、リサイクル等の環境問題の観点からＰＥＴを用いることが好ましい。
【００１８】
また、付属物品としては、キーホルダー、アクセサリー、フィギュアなどの小物を始めとして種々のものが挙げられ、アイデアに応じて適宜決められるものであって特に限定はない。
【００１９】
また、本発明のプレミアム用収納容器を取り付ける対象は、タバコパッケージに限るものではなく、チョコレート等の菓子箱類を始めとして任意のものでよく、プレミアム用収納容器のサイズはそれらにわせて設計すればよい。
【図面の簡単な説明】
【００２０】
【図１】本発明に係るプレミアム用収納容器の一例を示す斜視図である。
【図２】図１のプレミアム用収納容器を形成するブランクの平面図である。
【図３】図２のブランクをサック貼りした状態で示す平面図である。
【図４】サック貼りしたブランクを組み立てる様子を示す説明図である。
【図５】図１のプレミアム用収納容器を使用状態で示す斜視図である。
【符号の説明】
【００２１】
Ｂ  ブランク
Ｔ  タバコパッケージ
１０  プレミアム用収納容器
１１  前面パネル
１２，１３  側面パネル
１４  背面パネル
１５  糊付け片
１６，１７  下部折返しパネル
１８  上部折返しパネル
１９  隔壁パネル
１９ａ  下辺パネル
１９ｂ  斜辺パネル
１９ｃ  上辺パネル
２０  蓋パネル
２１  差込みパネル
２２，２３  折曲げフラップ
ａ〜ｎ  折線
【図１】
2008007168.tif 000003
【図２】
2008007168.tif 000004
【図３】
2008007168.tif 000005
【図４】
2008007168.tif 000006
【図５】
2008007168.tif 000007